【手続補正書】
【提出日】平成25年9月4日(2013.9.4)
【手続補正１】
【補正対象書類名】特許請求の範囲
【補正対象項目名】全文
【補正方法】変更
【補正の内容】
【特許請求の範囲】
【請求項１】
被写体の一連のフレーム画像を示す撮像信号を出力する撮像素子と、
前記撮像信号に基づく一連の前記フレーム画像を一時的に記憶するバッファメモリと、
ユーザの操作に応じて前記撮像信号の出力を指示するレリーズボタンと、
前記レリーズボタンによる指示に基づいて、前記バッファメモリに記憶された複数の前記フレーム画像のうちの少なくともいくつかの前記フレーム画像から、前記撮像素子によって単位時間に出力される前記フレーム画像の第１フレームレートよりも少ない第２フレームレートで再生されるスローモーション動画像データを生成し、前記バッファメモリに記憶された複数の前記フレーム画像のうちの少なくとも１つの前記フレーム画像に基づいて、少なくとも１つの静止画像データを生成し、前記スローモーション動画像データ及び前記静止画像データを関連付けて記録媒体に記録する制御部と、
を備えることを特徴とする撮像装置。
【請求項２】
前記スローモーション動画像データは、所定時間を有することを特徴とする請求項１記載の撮像装置。
【請求項３】
少なくとも１つの前記静止画像データを生成するための、複数のフレーム画像のうちの少なくとも１つのフレーム画像は、前記所定時間の間に前記バッファメモリに記憶された複数のフレーム画像のうちの最初のフレーム画像又は最後のフレーム画像ではないことを特徴とする請求項２記載の撮像装置。
【請求項４】
前記制御部は、前記レリーズボタンの１回の操作により、前記スローモーション動画像と前記静止画像とを生成して前記記録媒体に記録することを特徴とする請求項１記載の撮像装置。
【請求項５】
前記記録媒体は、前記撮像装置に対して着脱可能であることを特徴とする請求項１記載の撮像装置。
【請求項６】
前記スローモーション動画像と前記静止画像を再生可能な表示部を備え、
前記制御部は、前記表示部によって前記スローモーション動画像を表示した後に、少なくとも１つの前記静止画像データに基づく前記静止画像が表示されるように、前記スローモーション動画像データと前記スローモーション動画像データに関連付けられた前記静止画像データとに基づく表示画像データを生成することを特徴とする請求項１記載の撮像装置。
【請求項７】
前記制御部は、
前記レリーズボタンにより前記撮像信号の出力が指示された時に終了する第１の所定時間の間に前記バッファメモリに記憶された複数の前記フレーム画像と、前記レリーズボタンにより前記撮像信号の出力が指示された時に開始する第２の所定時間が終了するまでに前記バッファメモリに記憶された複数の前記フレーム画像とに基づいて前記スローモーション動画像データを生成し、
前記レリーズボタンにより前記撮像信号の出力が指示された時に前記バッファメモリに記憶された前記フレーム画像、または前記第１の所定時間及び前記第２の所定時間の間に前記バッファメモリに記憶された１つの前記フレーム画像に基づいて前記静止画像データを生成することを特徴とする請求項１記載の撮像装置。
【請求項８】
前記バッファメモリに記憶される各前記フレーム画像の画素数は、ＨＤＴＶ規格以上の画素数であることを特徴とする請求項１〜７の何れか一項に記載の撮像装置。
【請求項９】
前記静止画像データの画素数は、前記スローモーション動画像データの画素数以上であることを特徴とする請求項１〜８の何れか一項に記載の撮像装置。
【請求項１０】
前記第２フレームレートは、前記第１フレームレートの１／２．５であることを特徴とする請求項１〜９の何れか一項に記載の撮像装置。
【請求項１１】
前記撮像装置は、電子カメラであることを特徴とする請求項１〜１０の何れか一項に記載の撮像装置。
【請求項１２】
再生モードを含む撮像装置であって、
被写体からの光を撮像する撮像素子からの撮像信号に基づく複数のフレーム画像を含む動画像データと、複数の前記フレーム画像のうち１つのフレーム画像に基づく１つの静止画像データを含む静止画像データとを関連付けて記憶するメモリと、
前記動画像データから生成された動画像を表示した後、１つの前記静止画像データから生成された静止画像を表示するように、前記動画像データと前記動画像データに関連付けられる前記静止画像データとから表示画像データを生成する制御部と、
を備えることを特徴とする撮像装置。
【請求項１３】
前記動画像データは、前記撮像素子により単位時間に出力される前記フレーム画像の数を示す第１フレームレートよりも少ない第２フレームレートで表示されるスローモーション動画像データであることを特徴とする請求項１２記載の撮像装置。
【請求項１４】
前記第２フレームレートは、前記第１フレームレートの１／２．５であることを特徴とする請求項１３記載の撮像装置。
【請求項１５】
前記動画像データは、所定時間を有することを特徴とする請求項１２記載の撮像装置。
【請求項１６】
前記静止画像データを生成する複数の前記フレーム画像のうちの１つのフレーム画像は、前記所定時間の間の前記動画像データに含まれる複数の前記フレーム画像のうちの最初のフレーム画像及び最後のフレーム画像ではないことを特徴とする請求項１５記載の撮像装置。
【請求項１７】
前記メモリは、前記撮像装置に着脱可能であることを特徴とする請求項１２〜１６の何れか一項に記載の撮像装置。
【請求項１８】
前記表示画像データを表示する表示部を備えることを特徴とする請求項１２〜１７の何れか一項に記載の撮像装置。
【請求項１９】
前記撮像装置は、電子カメラであることを特徴とする請求項１２〜１８の何れか一項に記載の撮像装置。
【請求項２０】
前記メモリに記憶される各前記フレーム画像の画素数は、ＨＤＴＶ規格以上の画素数であることを特徴とする請求項１２〜１９の何れか一項に記載の撮像装置。
【請求項２１】
前記静止画像データの画素数は、前記動画像データの画素数以上であることを特徴とする請求項１２〜２０の何れか一項に記載の撮像装置。
【請求項２２】
前記制御部は、前記撮像装置のレリーズボタンにより画像の撮像信号の出力が指示された時に終了する第１所定時間の間にバッファメモリに記憶された複数の前記フレーム画像と、前記レリーズボタンにより前記撮像信号の出力が指示された時に開始する第２所定時間が終了するまでに前記バッファメモリに記憶された複数の前記フレームとに基づいて前記動画像データを作成し、
前記レリーズボタンにより前記撮像信号の出力が指示された時に前記バッファメモリに記憶された前記フレーム画像、または前記第１の所定時間及び前記第２の所定時間の間に前記バッファメモリに記憶された１つの前記フレーム画像に基づいて前記静止画像データを生成することを特徴とする請求項１２記載の撮像装置。
【請求項２３】
被写体の一連のフレーム画像を示す撮像信号を出力する撮像素子と、
前記撮像信号に基づく一連の前記フレーム画像を一時的に記憶するバッファメモリと、
ユーザの操作に応じて前記撮像信号の出力を指示するレリーズボタンと、
前記レリーズボタンによる指示に基づいて、前記バッファメモリに記憶された複数の前記フレーム画像のうちの少なくともいくつかの前記フレーム画像から動画像データを生成し、前記バッファメモリに記憶された複数の前記フレーム画像のうちの少なくとも１つの前記フレーム画像に基づいて、少なくとも１つの静止画像データを生成し、前記動画像データ及び前記静止画像データを関連付けて記録媒体に記録する制御部を備えることを特徴とする撮像装置。
【請求項２４】
被写体からの光を撮像する撮像素子からの撮像信号に基づく複数のフレーム画像を含む動画像データから生成された動画像、および複数の前記フレーム画像のうち１つのフレーム画像に基づく１つの静止画像データから生成された静止画像を表示可能な表示部と、
前記動画像データと前記動画像データに関連付けられる前記静止画像データとから生成される表示画像データを前記表示部に表示する際には、前記動画像データから生成された動画像を表示した後に、前記静止画像データから生成された静止画像を表示するように制御する制御部と、
を備えることを特徴とする画像表示装置。
【請求項２５】
前記動画像データは、前記撮像素子により単位時間に出力される前記フレーム画像の数を示す第１フレームレートよりも少ない第２フレームレートで表示されるスローモーション動画像データであることを特徴とする請求項２４記載の画像表示装置。
【請求項２６】
前記第２フレームレートは、前記第１フレームレートの１／２．５であることを特徴とする請求項２５記載の画像表示装置。
【請求項２７】
前記動画像データは、所定時間を有することを特徴とする請求項２４記載の画像表示装置。
【請求項２８】
前記静止画像データを生成する複数の前記フレーム画像のうちの１つのフレーム画像は、前記所定時間の間の前記動画像データに含まれる複数の前記フレーム画像のうちの最初のフレーム画像及び最後のフレーム画像ではないことを特徴とする請求項２７記載の画像表示装置。
【請求項２９】
前記静止画像データの画素数は、前記動画像データの画素数以上であることを特徴とする請求項２４〜２８の何れか一項に記載の画像表示装置。
【手続補正２】
【補正対象書類名】明細書
【補正対象項目名】発明の名称
【補正方法】変更
【補正の内容】
【発明の名称】撮像装置及び画像表示装置
【手続補正３】
【補正対象書類名】明細書
【補正対象項目名】０００１
【補正方法】変更
【補正の内容】
【０００１】
本発明は、動画像を記録可能な撮像装置及び画像表示装置に関するものである。
【手続補正４】
【補正対象書類名】明細書
【補正対象項目名】０００５
【補正方法】変更
【補正の内容】
【０００５】
本発明の目的は、高精細かつ高精度な静止画像の撮影タイミングに関連して、自動的に高精細かつ高精度なスローモーション動画像を撮影可能な撮像装置及び画像表示装置を提供することである。
【手続補正５】
【補正対象書類名】明細書
【補正対象項目名】０００６
【補正方法】変更
【補正の内容】
【０００６】
本発明は以下のような解決手段により上記課題を解決する。
【手続補正６】
【補正対象書類名】明細書
【補正対象項目名】０００７
【補正方法】変更
【補正の内容】
【０００７】
本発明の撮像装置は、被写体の一連のフレーム画像を示す撮像信号を出力する撮像素子と、前記撮像信号に基づく一連の前記フレーム画像を一時的に記憶するバッファメモリと、ユーザの操作に応じて前記撮像信号の出力を指示するレリーズボタンと、前記レリーズボタンによる指示に基づいて、前記バッファメモリに記憶された複数の前記フレーム画像のうちの少なくともいくつかの前記フレーム画像から、前記撮像素子によって単位時間に出力される前記フレーム画像の第１フレームレートよりも少ない第２フレームレートで再生されるスローモーション動画像データを生成し、前記バッファメモリに記憶された複数の前記フレーム画像のうちの少なくとも１つの前記フレーム画像に基づいて、少なくとも１つの静止画像データを生成し、前記スローモーション動画像データ及び前記静止画像データを関連付けて記録媒体に記録する制御部とを備えることを特徴とする。
また本発明の撮像装置は、再生モードを含む撮像装置であって、被写体からの光を撮像する撮像素子からの撮像信号に基づく複数のフレーム画像を含む動画像データと、複数の前記フレーム画像のうち１つのフレーム画像に基づく１つの静止画像データを含む静止画像データとを関連付けて記憶するメモリと、前記動画像データから生成された動画像を表示した後、１つの前記静止画像データから生成された静止画像を表示するように、前記動画像データと前記動画像データに関連付けられた前記静止画像データとから表示画像データを生成する制御部とを備えることを特徴とする。
また本発明の撮像装置は、被写体の一連のフレーム画像を示す撮像信号を出力する撮像素子と、前記撮像信号に基づく一連の前記フレーム画像を一時的に記憶するバッファメモリと、ユーザの操作に応じて前記撮像信号の出力を指示するレリーズボタンと、前記レリーズボタンによる指示に基づいて、前記バッファメモリに記憶された複数の前記フレーム画像のうちの少なくともいくつかの前記フレーム画像から動画像データを生成し、前記バッファメモリに記憶された複数の前記フレーム画像のうちの少なくとも１つの前記フレーム画像に基づいて、少なくとも１つの静止画像データを生成し、前記動画像データ及び前記静止画像データを関連付けて記録媒体に記録する制御部を備えることを特徴とする。
また本発明の画像表示装置は、被写体からの光を撮像する撮像素子からの撮像信号に基づく複数のフレーム画像を含む動画像データから生成された動画像、および複数の前記フレーム画像のうち１つのフレーム画像に基づく１つの静止画像データから生成された静止画像を表示可能な表示部と、前記動画像データと前記動画像データに関連付けられる前記静止画像データとから生成される表示画像データを前記表示部に表示する際には、前記動画像データから生成された動画像を表示した後に、前記静止画像データから生成された静止画像を表示するように制御する制御部と、を備えることを特徴とする。